(57)【要約】【課題】コースターの本体部に摘み部を設けることにより、コースターが有底の筒状を為すカップホルダーの底部に敷かれていても、コースターを簡単に取り換えることができるコースターを提供する。【解決手段】コースター１の本体部３には小片状の摘み片７が設けられており、この摘み片７は本体部３の外周縁５から突出している。このコースター１は、凹状の収容部１３を有するカップホルダー１１の底部１５に設置して使用する。コースター１を取り換えるには、収容部１３に手を入れ、摘み片７を摘んで収容部１３から手を抜き、コースター１を収容部１３から取り出す。そして、新しいコースター１を底部１５に設置して、コースター１の取り換え作業は完了する。【選択図】        図５
2010075218.tif 000002
【特許請求の範囲】
【請求項１】
平板状の本体部を有し、前記本体部を有底の筒状を為すカップホルダーの底部に敷いて使用するコースターにおいて、前記本体部に設けられ、前記本体部から上方に向かって突出する摘み部を備えたことを特徴とするコースター。
【請求項２】
請求項１に記載したコースターにおいて、摘み部は本体の外周縁に設けられていることを特徴とするコースター。
【請求項３】
請求項１に記載したコースターにおいて、本体部には一対の切り込み部が形成され、前記一対の切り込み部に挟まれた本体部の一部を引き起こすことによって、摘み部が形成されることを特徴とするコースター。
【請求項４】
請求項３に記載したコースターにおいて、本体部には摘み部の外周縁側に連なる切り欠き部が形成されていることを特徴とするコースター。
【請求項５】
請求項１から４のいずれかに記載したコースターにおいて、本体部が円盤状に形成されていることを特徴とするコースター。
【請求項６】
請求項１から５のいずれかに記載したコースターにおいて、コースターは吸水性を有する材料によって構成されていることを特徴とするコースター。
【発明の詳細な説明】
【技術分野】
【０００１】
本発明はコースターに係り、特に有底の筒状を為すカップホルダーの底部に敷くコースターに関するものである。
【背景技術】
【０００２】
自動車の座席の横等には、カップホルダーが備えられていることが多く、このカップホルダーはペットボトルや缶の下半部を収容する凹部の収容部を有するものが殆どである。
この収容部は、ペットボトル等が倒れないように支持する必要性から、ある程度の深さがある。従って、この収容部の底部が汚れてもきれいに拭くことはかなり面倒である。
【０００３】
そこで、特許文献１に記載されているような、テーブル上等で用いる円盤状のコースターを用いることも考えられる。
しかしながら、前述のように収容部はある程度の深さを有しているため、前記従来のコースターをいったん底部に敷いてしまうとそれを取り出すのは簡単ではなく、コースターの取り換え作業が面倒である。
【０００４】
【特許文献１】特開２００４−２０１７９０号公報
【発明の開示】
【発明が解決しようとする課題】
【０００５】
本発明は上記従来の問題点に着目して為されたものであり、本体部に摘み部を設けることにより、有底の筒状を為すカップホルダーの底部に敷かれていても、簡単に取り換えることができるコースターを提供することをその目的とする。
【課題を解決するための手段】
【０００６】
本発明は上記課題を解決するためになされたものであり、請求項１の発明は、平板状の本体部を有し、前記本体部を有底の筒状を為すカップホルダーの底部に敷いて使用するコースターにおいて、前記本体部に設けられ、前記本体部から上方に向かって突出する摘み部を備えたことを特徴とするコースターである。
【０００７】
請求項２の発明は、請求項１に記載したコースターにおいて、摘み部は本体の外周縁に設けられていることを特徴とするコースターである。
【０００８】
請求項３の発明は、請求項１に記載したコースターにおいて、本体部には一対の切り込み部が形成され、前記一対の切り込み部に挟まれた本体部の一部を引き起こすことによって、摘み部が形成されることを特徴とするコースターである。
【０００９】
請求項４の発明は、請求項３に記載したコースターにおいて、本体部には摘み部の外周縁側に連なる切り欠き部が形成されていることを特徴とするコースターである。
【００１０】
請求項５の発明は、請求項１から４のいずれかに記載したコースターにおいて、本体部が円盤状に形成されていることを特徴とするコースターである。
【００１１】
請求項６の発明は、請求項１から５のいずれかに記載したコースターにおいて、コースターは吸水性を有する材料によって構成されていることを特徴とするコースターである。
【発明の効果】
【００１２】
本発明のコースターによれば、コースターが有底の筒状を為すカップホルダーの底部に敷かれていても、摘み部を持ってコースターをカップホルダーから取り出し、コースターを簡単に取り換えることができる。
【発明を実施するための最良の形態】
【００１３】
図１から図５にしたがって、本発明の実施の形態１に係るコースター１について説明する。
コースター１は、吸水性のある材料としての厚紙によって構成されている。
符号３は円盤状の本体部を示し、本体部３の直径は後述するカップホルダー１１の底部１５の直径より若干小さく形成されている。
本体部３には小片状の摘み片７が設けられており、この摘み片７は本体部３の外周縁５から突出している。本体部３と摘み片７は打ち抜き加工により、一体に形成されている。
【００１４】
コースター１が設置されるカップホルダー１１を説明する。
カップホルダー１１は、自動車等のセンターコンソール１２に一体となって形成されている。このカップホルダー１１は、円柱状の凹部からなる収容部１３、１３を有している。収容部１３はコースター１が設置される底部１５を有している。この底部１５の直径は、飲料が封入されたペットボトルＰや缶が収容できる大きさとなっており、底部１５の直径が自動車の車種等によって大きく変わることはない。
【００１５】
コースター１を使用する方法ついて説明する。
コースター１を底部１５に設置するには、摘み片７を本体部３から上方に向かって突出する方向へ折り曲げる。
摘み片７を持ってコースター１を底部１５に設置する。本体部３は底部１５の直径より若干小さく形成されているので、コースター１は底部１５にぴったり収まる状態となる。
そして、カップホルダー１１にペットボトルＰを収容し、コースター１上に設置する。図３に示すように、摘み片７はペットボトルＰの外周部とカップホルダー１１の内壁に挟まれた状態となる。
コースター１は吸水性のある紙製なので、結露してペットボトルＰの表面に生じた水滴やペットボトルＰ内の飲料が垂れても、コースター１が吸水する。従って、底部１５が汚れるのを防止することができる。
【００１６】
次に、コースター１の取り換え作業について説明する。
収容部１３に手を入れ、摘み片７を指先で本体部３側へ倒しながら摘む。そして、摘み片７を摘んだまま収容部１３から手を抜き、コースター１を収容部１３から取り出す。このように、摘み片７を摘んでコースター１を収容部１３から容易に取り出すことができる。
次いで、上述したように新しいコースター１を底部１５に設置して、コースター１の取り換え作業は完了する。
【００１７】
図６から図９にしたがって、本発明の実施の形態２に係るコースター２１について説明する。
コースター２１は、上述したコースター１と同様に吸水性のある厚紙によって構成されている。
符号２３は平板状の本体部を示し、本体部２３の直径はカップホルダー１１の底部１５の直径より若干小さく形成されている。
本体部２３の外周縁３１には、円弧状の切り欠き部３３が形成されている。
本体部２３には、一対の切り込み部としての一対の切り込み線２５、２５が形成されており、この切り込み線２５、２５は、切り欠き部３３の両端部から真っ直ぐ延びている。切り込み部２５、２５に挟まれた部位が、後述する摘み部としての摘み片２９となる。従って、摘み片２９の外周縁３１側に連なって切り欠き部３３が形成されていることになる。
切り込み線２５、２５の終端同士を結ぶ部位には、折り込み部２７が形成されている。
一対の切り込み線２５、２５に挟まれた本体部２３の一部を引き起こすことによって、折り込み部２７を基端とする仮想線で示す摘み片２９が形成される。
【００１８】
コースター２１では収容部１３に手を入れ、切り込み線２５、２５に挟まれた本体部２３の一部を引き起こして形成された摘み片２９は、本体部２３の上方に向かって突出する状態となる。
そして、摘み片２９を持って収容部１３から手を抜き、コースター２１を収容部１３から取り出す。このように、摘み片２９を摘んで収容部１３からコースター２１を容易に取り出すことができる。
次いで、新しいコースター２１を底部１５に設置して、コースター２１の取り換え作業は完了する。
【００１９】
以上、本発明の実施の形態について詳述してきたが、具体的構成は、この実施の形態に限られるものではなく、本発明の要旨を逸脱しない範囲における設計の変更などがあっても発明に含まれる。
例えば、コースターは吸水性のある厚紙だけでなく、布、コルク、プラスチック等であってもよい。
コースターの形状は、カップホルダーの底部の形状に合わせて適宜変更することができる。例えば本体部を六角形や八角形等の多角形の平板によって構成してもよい。
【図面の簡単な説明】
【００２０】
【図１】本発明の実施の形態１に係るコースターの斜視図である。
【図２】本発明の実施の形態１に係る使用方法を説明するための図である。
【図３】図２に続く使用方法を説明するための図である。
【図４】本発明の実施の形態１に係る取り換え作業を説明するための図である。
【図５】図４に続く取り換え作業を説明するための図である。
【図６】本発明の実施の形態２に係るコースターの斜視図である。
【図７】本発明の実施の形態２に係る取り換え作業を説明するための図である。
【図８】図７に続く取り換え作業を説明するための図である。
【図９】図８に続く取り換え作業を説明するための図である。
【符号の説明】
【００２１】
１…コースター                        ３…本体部
５…外周縁                          ７…摘み片
１１…カップホルダー                １２…センターコンソール
１３…収容部                        １５…底部
２１…コースター                    ２３…本体部
２５、２５…切り込み線              ２７…折り込み部
２９…摘み片                        ３１…外周縁
３３…切り欠き部                    Ｐ…ペットボトル
【図１】
2010075218.tif 000003
【図２】
2010075218.tif 000004
【図３】
2010075218.tif 000005
【図４】
2010075218.tif 000006
【図５】
2010075218.tif 000007
【図６】
2010075218.tif 000008
【図７】
2010075218.tif 000009
【図８】
2010075218.tif 000010
【図９】
2010075218.tif 000011